(57)【要約】【課題】  プリンタモデル（スキャナ無）モデルにおいて、ＭＦＰモデル（スキャナ有）モデルと同じように人感センサが有効だと、出力した紙を取りに来ただけにもかかわらず、スリープ復帰してしまう懸念が大きくなる。【解決手段】  ＭＦＰモデルか、プリンタモデルかを判断して、プリンタモデルの場合、人感センサの設定をＯＦＦにする。ただし、認証プリントなどのジョブがメモリにある場合は、人感センサの設定をＯＮにする。【選択図】図５
2020107930.tif 000002
【特許請求の範囲】
【請求項１】
移動体を検出する移動体検出手段と、
前記移動体検出手段により、移動体が検出された場合、節電状態から復帰するスリープ復帰手段と、
前記移動体検出手段の有効無効を切り替える移動体検出設定手段と、
スキャナの有無を検知するスキャナ検知手段と、
上記スキャナ検知手段により、スキャナ無と判断された場合、上記移動体検出設定手段により、移動体検出手段を無効にすることを特徴とする画像形成装置。
【請求項２】
印刷ジョブを蓄積する印刷ジョブ蓄積手段と、
印刷ジョブ蓄積手段により印刷ジョブが蓄積されている場合、移動体検出手段を有効にすることを特徴とする請求項１に記載の画像形成装置。
【発明の詳細な説明】
【技術分野】
【０００１】
本発明は、省電力制御を行う画像形成装置に関するものである。
【背景技術】
【０００２】
近年、画像形成装置周辺に人体が存在するかをセンサー（以下人感センサー）により検知し、画像形成装置のスリープ状態と、通常の電力状態を切り替える機器が提案されている。特許文献１には、ユーザの操作履歴に基づいて人感センサの感度を切り替える提案がなされている。
【先行技術文献】
【特許文献】
【０００３】
【特許文献１】特開２０１０−１４７７２５号公報
【発明の概要】
【発明が解決しようとする課題】
【０００４】
しかしながら、特許文献１に記載の装置では、装置の構成によらず人感センサにより人体を検知させるため、装置の構成によってはユーザの利便性を低下させる懸念があった。
【課題を解決するための手段】
【０００５】
上記の課題を解決するために、本発明に係る画像形成装置は、
移動体を検出する移動体検出手段（３２１）と、
前記の移動体検出手段（３２１）により、移動体が検出された場合（Ｓ６０２）、節電状態から復帰するスリープ復帰手段（Ｓ６０３）と、
前記移動体検出手段の有効無効を切り替える移動体検出設定手段（Ｓ５０２，Ｓ５０３、Ｓ７０２，Ｓ７０３）と、
スキャナ（３３０）の有無を検知するスキャナ検知手段（Ｓ５０１、Ｓ７０１）と、
上記スキャナ検知手段により、スキャナ無と判断された場合（Ｓ５０１）、上記移動体検出設定手段により、移動体検出手段を無効にすること（Ｓ５０３）を特徴とする。。
【発明の効果】
【０００６】
本発明に係る画像形成装置によれば、スキャナの有無により人感センサの設定を切り替えることで、画像形成装置の構成にあった省電力制御をユーザに提供できる。
【図面の簡単な説明】
【０００７】
【図１】複合機を示す図である。
【図２】複合機を示す図である。
【図３】複合機の構成を表すブロック図である。
【図４】複合機の構成を表すブロック図である。
【図５】本発明における複合機でのフローチャートである。
【図６】本発明における複合機でのフローチャートである。
【図７】本発明における複合機でのフローチャートである。
【発明を実施するための形態】
【０００８】
以下、本発明を実施するための形態について、図面を参照しながら説明する。
【０００９】
＜実施例１＞
図１は、本発明における複合機１２０ａの外観図である。
【００１０】
上部はスキャナ３３０、下部はプリンタ３４０で構成されている。複合機１２０ａについての詳細な説明については後述する。
【００１１】
図２は、本発明における複合機１２０ｂの外観図である。
【００１２】
複合機１２０ａと異なり上部のスキャナ３３０がない以外は、同じ構成であり、複合機１２０ｂの下部は複合機１２０ａとプリンタ３４０で構成されている。複合機１２０ｂについての詳細な説明については後述する。
【００１３】
図３は本発明における複合機１２０ａの構成を表すブロック図である。
【００１４】
複合機１２０ａは、コントローラユニット３００、操作部３２０、スキャナ３３０、プリンタ３４０を含んでいる。コントローラユニット３００には、操作部３２０が接続されるとともに、画像入力デバイスであるスキャナ３３０や画像出力デバイスであるプリンタ３４０が接続される。
【００１５】
コントローラユニット３００は、ＣＰＵ（Ｃｅｎｔｒａｌ  Ｐｒｏｃｅｓｓｉｎｇ  Ｕｎｉｔ）３０２を有し、ＣＰＵ３０２は、ＲＯＭ３０６に格納されているブートプログラムによりＯＳ（Ｏｐｅｒａｔｉｎｇ  Ｓｙｓｔｅｍ）を起動する。ＣＰＵ３０２は、このＯＳ上で、ＨＤＤ（Ｈａｒｄ  Ｄｉｓｋ  Ｄｒｉｖｅ）３０５に格納されているアプリケーションプログラムを実行し、これによって各種処理を実行する。このＣＰＵ３０２の作業領域としてはＲＡＭ（Ｒａｎｄｏｍ  Ａｃｃｅｓｓ  Ｍｅｍｏｒｙ）３０３が用いられる。また、ＲＡＭ３０３は、作業領域を提供するとともに、画像データを一時記憶するための画像メモリ領域を提供する。ＨＤＤ３０５は、上記アプリケーションプログラムや画像データ、各種設定値を格納する。複合機１２０ａにおける設定値の管理方法については後述する。
【００１６】
ＣＰＵ３０２には、システムバス３１０を介して、ＲＯＭ３０６およびＲＡＭ３０３とともに、操作部Ｉ／Ｆ３０１、デバイスＩ／Ｆ３０４、Ｎｅｔｗｏｒｋ  Ｉ／Ｆ３０７、画像処理部３０８が接続される。操作部Ｉ／Ｆ３０１は、タッチパネルを有する操作部３２０および人感センサ３２１とのインタフェースであり、操作部３２０に表示すべき画像データを操作部３２０に対して出力する。また、操作部Ｉ／Ｆ３０１は、操作部３２０によってユーザにより入力された情報や人感センサ３２１が感知した移動体の有無をＣＰＵ３０２に送出する。この人感センサ３２１が移動体の有無の検知結果に基づきＣＰＵ３０２は、複合機１２０ａの電力状態を制御する。
【００１７】
デバイスＩ／Ｆ３０４には、スキャナ３３０およびプリンタ３４０が接続され、デバイスＩ／Ｆ３０４は、画像データの同期系／非同期系の変換を行う。Ｎｅｔｗｏｒｋ  Ｉ／Ｆ３０７は、ネットワーク１００に接続され、ネットワーク１００を介してネットワーク１００上の各装置との間で情報の入出力を行う。画像処理部３０８では、スキャナからの入力画像処理やプリンタへの出力画像処理、画像回転、画像圧縮、解像度変換、色空間変換、階調変換などの処理を行う。
【００１８】
図４は本発明における複合機１２０ｂの構成を表すブロック図である。
【００１９】
複合機１２０ａとの違いはスキャナ３３０がない点であり、それ以外については、複合機１２０ｂは複合機１２０ａ同じブロック構成をとる。
【００２０】
図５は本発明における、人感センサ設定のフローである。
【００２１】
Ｓ５０１では、スキャナ３３０の有無を検知する、複合機１２０ａの場合は、スキャナ３３０があるため、Ｓ５０２では人感センサを有効にする。また複合機１２０ｂの場合は、スキャナがないため、Ｓ５０３では人感センサ３２１を無効にする。すなわち複合機１２０ｂでは、人感センサ３２１が装着されているが、人感センサ３２１での移動体の検知を行わないようにする。図５の人感センサ設定のフローは、複合機１２０ａ、複合機１２０ｂの起動時などに実行する。
【００２２】
図６は、本発明における、人感センサ３２１によるスリープ状態からの復帰のフローである。
【００２３】
Ｓ６０１ではＳ５０１で設定した人感センサ３２１の有効無効をチェックする。人感センサ３２１が有効の場合、人感センサ３２１による移動体の検知を行う。移動体が検知された場合は、ＣＰＵ３０２は複合機をスリープ状態から復帰させる。図５，６のフローにより、スキャナがない構成の複合機１２０ｂの場合、人感センサ３２１によるスリープ復帰を行わなくなる。これにより複合機１２０ｂのプリンタ３４０に出力済みの用紙をユーザが取りに来ただけでスリープから復帰することがなくなり、無駄な電力の消費を抑えることができる。
【００２４】
＜実施例２＞
図７は、本発明における、人感センサ設定のフローである。
【００２５】
図５との違いは、Ｓ７０４にて、ＲＡＭ３０３，ＨＤＤ３０５に印刷ジョブがあるかを検知して、人感センサ３２１の有効無効を切り替える処理を追加しているところであり、それ以外は図５と同じである。これにより印刷ジョブが複合機１２０ａ、１２０ｂ内にあるときは、人感センサ３２１が有効になり、人がスリープ状態の複合機１２０ａ、１２０ｂに近づくとスリープ復帰から短い時間での印刷ジョブ出力が可能となる。近年セキュリティ意識の高まりから、ユーザが複合機本体に近づいてから印刷を行うことで情報の漏えいを防ぐ、セキュアなプリント機能がある。こうしたプリント機能が有効な場合に置いても本実施例は有効に機能する。
【符号の説明】
【００２６】
１２０ａ  複合機、１２０ｂ  複合機、３２１  移動体検出手段、
３０３，３０５印刷ジョブ蓄積手段
【図１】
2020107930.tif 000003
【図２】
2020107930.tif 000004
【図３】
2020107930.tif 000005
【図４】
2020107930.tif 000006
【図５】
2020107930.tif 000007
【図６】
2020107930.tif 000008
【図７】
2020107930.tif 000009